【手続補正書】
【提出日】平成16年1月26日(2004.1.26)
【手続補正１】
【補正対象書類名】明細書
【補正対象項目名】特許請求の範囲
【補正方法】変更
【補正の内容】
【特許請求の範囲】
【請求項１】
移動テーブルと、
上記移動テーブルにベースを供給するベース供給手段と、
上記ベース供給手段により上記移動テーブルに供給された上記ベースにテンションをかけて伸張状態とした上で位置決めするテンション・位置決め手段と、
上記ベース供給手段により上記移動テーブルに供給され且つ上記テンション・位置決め手段により伸張状態で位置決めされた上記ベースの一面に所定長の人工毛を供給する人工毛供給手段と、
上記ベースの面に対し直交する方向に進退自在であって、上記ベースの他面側から上記一面側に向けて上記ベースを突き通した後、上記一面側において上記人工毛供給手段により供給された上記人工毛を係合して、さらに上記他面側に復帰することにより上記人工毛を上記ベースの上記他面側に引き出して上記ベースに植え付ける針と、
上記針による人工毛植え付け処理を所定ピッチ毎に繰り返し行うために、上記移動テーブルを互いに直交するＸ，Ｙ方向に所定ピッチで移動させるテーブル駆動手段と、
上記針による人工毛植え付け処理が終了したときに上記テンション・位置決め手段によるテンションを解除して、人工毛が植え付けられた上記ベースを伸張状態から開放するテンション解除手段と、
を有することを特徴とするかつら製造用自動植毛機。
【請求項２】
上記人工毛供給手段による人工毛の供給は上記ベースの下面であることを特徴とする請求項１記載のかつら製造用自動植毛機。
【請求項３】
上記人工毛供給手段による人工毛の供給は上記ベースの上面であることを特徴とする請求項１記載のかつら製造用自動植毛機。
【請求項４】
上記人工毛を挟持する開閉自在の押さえ手段を設け、該押さえ手段により人工毛を一時固定した状態で上記針により引き出すことを特徴とする請求項１記載のかつら製造用自動植毛機。
【請求項５】
上記押さえ手段は針方向に揺動自在であり、針側への揺動動作後針による人工毛の引出動作を開始することを特徴とする請求項４記載のかつら製造用自動植毛機。
【請求項６】
上記押さえ手段は上記人工毛を側面方向から挟持することを特徴とする請求項４記載のかつら製造用自動植毛機。
【請求項７】
上記押さえ手段は上記人工毛を上下方向から挟持することを特徴とする請求項４記載のかつら製造用自動植毛機。
【請求項８】
上記押さえ手段は上記人工毛を側面及び上下方向から挟持することを特徴とする請求項４記載のかつら製造用自動植毛機。
【請求項９】
上記針は互いに同期して往復運動する少なくとも１対の針からなり、上記人工毛供給手段による人工毛の送給方向に平行して一定の間隙をあけて設置することを特徴とする請求項１記載のかつら製造用自動植毛機。
【請求項１０】
上記針による人工毛植え付け処理のピッチは人工毛の送給方向に直交する方向の針の巾より大とすることを特徴とする請求項１記載のかつら製造用自動植毛機。
【請求項１１】
上記針による人工毛の植え付けは上記ベースが人工毛の送給方向に直交する方向に移動した後行うことを特徴とする請求項１記載のかつら製造用自動植毛機。
【請求項１２】
上記針による人工毛の植え付けは上記ベースが人工毛の送給方向に移動した後行うことを特徴とする請求項１記載のかつら製造用自動植毛機。
【請求項１３】
上記針による人工毛の植え付けを上記ベースに対して斜め方向に行なうことを特徴とする請求項１記載のかつら製造用自動植毛機。
【請求項１４】
上記人工毛供給手段が複数であることを特徴とする請求項１記載のかつら製造用自動植毛機。
【請求項１５】
上記移動テーブルの移動及び上記針の移動はコンピュータからなる制御手段により行うことを特徴とする請求項１記載のかつら製造用自動植毛機。
【請求項１６】
上記針により植え付けされた人工毛を一定の方向に流す流毛手段を設けることを特徴とする請求項１記載のかつら製造用自動植毛機。
【請求項１７】
上記流毛手段が植え付けられた人工毛の直下に設けられた一定方向に移動する移動バーからなることを特徴とする請求項１６記載のかつら製造用自動植毛機。
【請求項１８】
移動テーブルに二次元の薄いベースを供給する工程と、
上記移動テーブルに上記ベースをテンションをかけた状態で伸長する工程と、
上記移動テーブルに上記伸長されたベースを位置決めする工程と、
上記伸長されたベースの一面側に人工毛を供給する工程と、
上記伸長されたベースを突き通す往復運動する針により供給された人工毛を係合する工程であって、上記人工毛を係合した上記針が上記ベースを突き通し、これにより上記人工毛が伸長されたベースに植え付けられ、
上記移動テーブルが所定のピッチで移動する間上記針による植え付け動作が繰り返される工程と、及び
上記針による植え付け動作終了後上記ベースを伸長状態から解除する工程からなるかつらの製造方法。
【請求項１９】
さらに、上記植え付けられた人工毛を上記ベースに固着するために上記ベースの裏面に第１接着剤を付与する第１接着剤付与工程と、
上記ベースの一面に第２接着剤を付与する第２接着剤付与工程とからなる請求項１８のかつらの製造方法。
【手続補正２】
【補正対象書類名】明細書
【補正対象項目名】０００６
【補正方法】変更
【補正の内容】
【０００６】
【課題を解決するための手段】
上記目的達成のため、本願発明によるかつら製造用自動植毛機は、移動テーブルと、上記移動テーブルにベースを供給するベース供給手段と、上記ベース供給手段により上記移動テーブルに供給された上記ベースにテンションをかけて伸張状態とした上で位置決めするテンション・位置決め手段と、上記ベース供給手段により上記移動テーブルに供給され且つ上記テンション・位置決め手段により伸張状態で位置決めされた上記ベースの一面に所定長の人工毛を供給する人工毛供給手段と、上記ベースの面に対し直交する方向に進退自在であって、上記ベースの他面側から上記一面側に向けて上記ベースを突き通した後、上記一面側において上記人工毛供給手段により供給された上記人工毛を係合して、さらに上記他面側に復帰することにより上記人工毛を上記ベースの上記他面側に引き出して上記ベースに植え付ける針と、上記針による人工毛植え付け処理を所定ピッチ毎に繰り返し行うために、上記移動テーブルを互いに直交するＸ，Ｙ方向に所定ピッチで移動させるテーブル駆動手段と、上記針による人工毛植え付け処理が終了したときに上記テンション・位置決め手段によるテンションを解除して、人工毛が植え付けられた上記ベースを伸張状態から開放するテンション解除手段と、を有することを特徴とする。
また上記かつら製造用自動植毛機において、上記人工毛供給手段による人工毛の供給は上記ベースの下面であることを特徴とする。
また上記かつら製造用自動植毛機において、上記人工毛供給手段による人工毛の供給は上記ベースの上面であることを特徴とする。
また上記かつら製造用自動植毛機において、上記人工毛を挟持する開閉自在の押さえ手段を設け、該押さえ手段により人工毛を一時固定した状態で上記針により引き出すことを特徴とする。
また上記かつら製造用自動植毛機において、上記押さえ手段は針方向に揺動自在であり、針側への揺動動作後針による人工毛の引出動作を開始することを特徴とする。
また上記かつら製造用自動植毛機において、上記押さえ手段は上記人工毛を側面方向から挟持することを特徴とする。
また上記かつら製造用自動植毛機において、上記押さえ手段は上記人工毛を上下方向から挟持することを特徴とする。
また上記かつら製造用自動植毛機において、上記押さえ手段は上記人工毛を側面及び上下方向から挟持することを特徴とする。
また上記かつら製造用自動植毛機において、上記針は互いに同期して往復運動する少なくとも１対の針からなり、上記人工毛供給手段による人工毛の送給方向に平行して一定の間隙をあけて設置することを特徴とする。
また上記かつら製造用自動植毛機において、上記針による人工毛植え付け処理のピッチは人工毛の送給方向に直交する方向の針の巾より大とすることを特徴とする。
また上記かつら製造用自動植毛機において、上記針による人工毛の植え付けは上記ベースが人工毛の送給方向に直交する方向に移動した後行うことを特徴とする。
また上記かつら製造用自動植毛機において、上記針による人工毛の植え付けは上記ベースが人工毛の送給方向に移動した後行うことを特徴とする。
また上記かつら製造用自動植毛機において、上記針による人工毛の植え付けを上記ベースに対して斜め方向に行なうことを特徴とする。
また上記かつら製造用自動植毛機において、上記人工毛供給手段が複数であることを特徴とする。
また上記かつら製造用自動植毛機において、上記移動テーブルの移動及び上記針の移動はコンピュータからなる制御手段により行うことを特徴とする。
また上記かつら製造用自動植毛機において、上記針により植え付けされた人工毛を一定の方向に流す流毛手段を設けることを特徴とする。
また上記かつら製造用自動植毛機において、上記流毛手段が植え付けられた人工毛の直下に設けられた一定方向に移動する移動バーからなることを特徴とする。
また本願発明によるかつらの製造方法は、移動テーブルに二次元の薄いベースを供給する工程と、上記移動テーブルに上記ベースをテンションをかけた状態で伸長する工程と、上記移動テーブルに上記伸長されたベースを位置決めする工程と、上記伸長されたベースの一面側に人工毛を供給する工程と、上記伸長されたベースを突き通す往復運動する針により供給された人工毛を係合する工程であって、上記人工毛を係合した上記針が上記ベースを突き通し、これにより上記人工毛が伸長されたベースに植え付けられ、上記移動テーブルが所定のピッチで移動する間上記針による植え付け動作が繰り返される工程と、及び上記針による植え付け動作終了後上記ベースを伸長状態から解除する工程からなることを特徴とする。
また上記かつらの製造方法において、さらに、上記植え付けられた人工毛を上記ベースに固着するために上記ベースの裏面に第１接着剤を付与する第１接着剤付与工程と、上記ベースの一面に第２接着剤を付与する第２接着剤付与工程とからなることを特徴とする。